(57)【特許請求の範囲】
【請求項１】
帳票紙面上に、コピーによって再現され易い万線と、コピーによって再現され難い網点の、その何れか一方によって潜像が印刷され、他方によって背景が印刷されてなり、コピーすることによって潜像が顕在化して識別可能となる偽造防止帳票において、
前記万線を構成する各線の線幅方向の一側縁又は両側縁に、線幅方向に沿って突出する拡張突部が線の長手方向に沿って複数形成されているものであって、
万線を構成する各線の太さが0.03〜0.15ｍｍ、拡張突部の横幅が0.03〜0.15ｍｍ、拡張突部の突出幅が0.03〜0.15ｍｍ、拡張突部相互の間隔が0.03〜0.2ｍｍ、万線を構成する線相互の間隔が0.3〜0.6ｍｍであることを特徴とする偽造防止帳票。
【発明の詳細な説明】
【技術分野】
【０００１】
本発明は、コピーによる偽造を防止し得る偽造防止帳票に関する。
【背景技術】
【０００２】
一般に、有価証券，証明書，登録証，その他の帳票にあって、カラーコピー機でのコピーによる偽造を防止するために、潜像と背景とを肉眼による識別が困難となるように印刷した偽造防止帳票が知られている（例えば、特許文献１参照）。かかる偽造防止帳票は、帳票紙面上に、コピーによって再現され易い万線と、コピーによって再現され難い網点の、その何れか一方によって潜像を印刷し、かつ、他方によって潜像以外の部分に背景を印刷することにより、帳票紙面上の背景内に潜像を同化させて肉眼による識別が困難な状態とし、コピーした場合には、そのコピー紙上で潜像が濃度差によって顕在化して識別可能となるようにしている。
【特許文献１】特開昭６０−７９９９１号公報
【発明の開示】
【発明が解決しようとする課題】
【０００３】
ところで、上記のような万線と網点とを用いた偽造防止帳票にあっては、潜像の非視認性に優れ、かつ、コピーした場合には潜像の顕在化性に優れたものとするために、万線と網点の線数及び構成面積比の設定が行われるのであるが、帳票紙面上の潜像と背景とが肉眼で識別困難となるように、万線と網点の夫々の線数及び構成面積比の差を小さく設定すると、コピーした場合の潜像の顕在化性が悪くなってしまい、逆に、コピーした場合の潜像の顕在化性が高くなるように、万線と網点との線数及び構成面積比の差を大きく設定すると、帳票紙面上の潜像と背景とが肉眼で容易に識別可能となってしまい、潜像の非視認性が低下するという問題点があった。
【０００４】
本発明は、かかる従来の実状に鑑みてなされたものであって、帳票紙面上の潜像と背景とを肉眼では識別困難とし、かつ、コピーした場合には潜像が明瞭に顕在化して容易に識別可能となるようにした偽造防止帳票を提供することを目的とするものである。
【課題を解決するための手段】
【０００５】
本発明は、帳票紙面上に、コピーによって再現され易い万線と、コピーによって再現され難い網点の、その何れか一方によって潜像が印刷され、他方によって背景が印刷されてなり、コピーすることによって潜像が顕在化して識別可能となる偽造防止帳票において、前記万線を構成する各線の線幅方向の一側縁又は両側縁に、線幅方向に沿って突出する拡張突部が線の長手方向に沿って複数形成されていることを特徴とする偽造防止帳票である。
【０００６】
かかる偽造防止帳票にあって、万線を構成する各線の太さが0.03〜0.15ｍｍ、拡張突部の横幅が0.03〜0.15ｍｍ、拡張突部の突出幅が0.03〜0.15ｍｍ、拡張突部相互の間隔が0.03〜0.2ｍｍ、万線を構成する線相互の間隔が0.3〜0.6ｍｍである構成が提案される。
【０００７】
ここで、万線を構成する線相互の間隔を0.3ｍｍ，拡張突部の突出幅を0.15ｍｍとし、各線の線幅方向の両側縁に拡張突部を形成する場合には、隣接する各線に形成される拡張突部が互い違いとなるように線の長手方向に沿ってずらすことにより、隣接する各線間で拡張突部相互が非接触となるようにすることが望ましい。また、コピーによって再現され難い網点とは、コピー機では解像され難い程度の細かい点と濃度（構成面積比）からなる網点であり、これには線数150，構成面積比10％の網点が好適に用いられ得る。
【発明の効果】
【０００８】
本発明は、上述したように、万線を構成する各線の線幅方向の一側縁又は両側縁に、線幅方向に沿って突出する拡張突部が線の長手方向に沿って複数形成されていることにより、コピーするとコピー機の再現特性によって各拡張突部相互間の隙間が埋まり、万線を構成する各線の線幅が拡大される。これにより、偽造防止帳票における潜像の非視認性を低下させることなく、コピーした場合には、各拡張突部相互間の隙間が埋まることによる線幅拡大によって潜像が明瞭に顕在化して容易に識別可能なものとすることができる。また、通常の万線の線幅よりも細い線幅の万線を用いることが可能であり、万線の線幅を通常の万線の線幅に比して細くすれば、潜像と背景の肉眼による識別をさらに困難なものとすることができる。
【０００９】
また、万線を構成する各線の太さが0.03〜0.15ｍｍ、拡張突部の横幅が0.03〜0.15ｍｍ、拡張突部の突出幅が0.03〜0.15ｍｍ、拡張突部相互の間隔が0.03〜0.2ｍｍ、万線を構成する線相互の間隔が0.3〜0.6ｍｍである構成にあっては、帳票紙面上における潜像の非視認性の向上と、コピー時における上述した線幅拡大作用とを良好に実現し得るものとなる。
【発明を実施するための最良の形態】
【００１０】
以下に、本発明にかかる偽造防止帳票の一実施例を、図１〜図３に基づいて説明する。
偽造防止帳票１は、図１に示すように、帳票紙面２上に、コピーによって再現され易い万線で「複写」等の文字を表す潜像３が印刷されており、該潜像３以外の部分には地紋からなる背景４が印刷されている。該背景４の印刷には、線数150，構成面積比10％の網点が用いられており、コピーによって再現され難いものとなっている。また、潜像３を構成する万線と、背景４を構成する網点は、同一色のインキで印刷されており、このインキの色としては、ブラック，セピア，グリーン，パープル，ライトブルーが好適に用いられ得る。
【００１１】
前記潜像３を構成する万線は、図２（Ａ）に示すように、該万線を構成する各線５の線幅方向の一側縁に、線幅方向に沿って突出する拡張突部６が線５の長手方向に沿って複数形成されている。ここで、各線５の太さＤは0.03〜0.15ｍｍ、好ましくは0.05〜0.1ｍｍに設定され、拡張突部６の横幅Ｗは0.03〜0.15ｍｍ、好ましくは0.05〜0.1ｍｍに設定され、拡張突部６の突出幅Ｈは0.03〜0.15ｍｍ、好ましくは0.05〜0.1ｍｍに設定され、拡張突部６相互の間隔Ｓは0.03〜0.2ｍｍ、好ましくは0.05〜0.15ｍｍに設定され、万線を構成する線５相互の間隔Ｂは0.3〜0.6ｍｍ、好ましくは0.4〜0.6ｍｍに設定される。尚、各拡張突部６相互の間隔Ｓは、一定間隔であってもよいし、前記数値範囲内で個々に変化するものであってもよい。上記各設定数値の最小値は、コピー機による解像が可能で、コピーするとコピー機の再現特性によって面積拡張が生じる限界の最小寸法値であり、また、各設定数値の最大値は、潜像３の非視認性を維持する限界の最大寸法値である。
【００１２】
かかる構成にあって、偽造防止帳票１は、その帳票紙面２上に印刷された潜像３と背景４とが肉眼では識別困難であり、見た目には地紋にしか見えないものとなっている。而して、該偽造防止帳票１をカラーコピー機でコピーすると、コピー機の再現特性によって、図２（Ｂ）に示すように、各拡張突部６相互間の隙間が埋まり、万線を構成する各線５の線幅が拡大される。ここで、再現特性とは、コピーすると実物より面積が増加した状態で再現される特性であって、ドットをコピーした場合に生じるドットゲインに類似する現象である。一方、背景４はコピーによって再現され難い網点で印刷されているため、コピーすると、消失或は変色することとなる。これにより、偽造防止帳票１をコピーしたコピー紙１’にあっては、図３に示すように、潜像３が明瞭に顕在化することとなり、帳票がコピーされたものであることを容易に認識することができる。
【００１３】
そして、本発明によれば、偽造防止帳票１における潜像３の非視認性を低下させることなく、コピーした場合には、各拡張突部６相互間の隙間が埋まることによる線幅拡大によって潜像３が明瞭に顕在化して容易に識別可能なものとすることができる。また、通常の万線の線幅よりも細い線幅の万線を用いることが可能であり、万線の線幅を通常の万線の線幅に比して細くすれば、潜像３と背景４の肉眼による識別をさらに困難なものとすることができる。
【００１４】
図４は、第二実施例を示し、この実施例は、図４（Ａ）に示すように、万線を構成する各線５の線幅方向の両側縁に、線幅方向に沿って突出する拡張突部６を線５の長手方向に沿って複数形成したものである。また、各線５の太さＤ、拡張突部６の横幅Ｗ、拡張突部６の突出幅Ｈ、拡張突部６相互の間隔Ｓ、万線を構成する線５相互の間隔Ｂは、上述した第一実施例の数値と同一に設定される。尚、万線を構成する線５相互の間隔Ｂを0.3ｍｍ，拡張突部の突出幅を0.15ｍｍとした場合には、隣接する各線５間で拡張突部６相互が非接触となるように、隣接する各線５の拡張突部６を線５の長手方向に沿って互い違いにずらして形成される。また、隣接する各線５間で拡張突部６相互が非接触となるように数値設定した場合であっても、隣接する各線５の拡張突部６を線５の長手方向に沿って互い違いにずらすことにより、同じ位置にある場合に比して、非視認性の向上の点で有利となる。
【００１５】
かかる構成にあって、偽造防止帳票１をカラーコピー機でコピーすると、コピー機の再現特性によって、図４（Ｂ）に示すように、各拡張突部６相互間の隙間が埋まり、万線を構成する各線５の線幅が拡大される。ここで、この線幅拡大は、各線５の線幅方向の両側で生じることにより、第一実施例のものに比して、その線幅拡大率を増加させることができる。
【００１６】
尚、上記各実施例では、コピーによって再現され易い万線によって潜像３を印刷しているが、これに代えて、コピーによって再現され易い万線によって背景４を印刷し、コピーによって再現され難い網点によって潜像３を印刷することも可能である。また、コピーによって再現され難い網点によって潜像３または背景４を印刷する場合には、該潜像３または背景４を微細な白抜き文字や白抜き図柄を備えた地紋とすることも可能である。さらに、万線は、複数の直線状の平行線からなるもの以外に、同心円を構成する複数の円弧状曲線からなるものであってもよい。
【図面の簡単な説明】
【００１７】
【図１】本発明にかかる偽造防止帳票１を示す概略平面図である。
【図２】（Ａ）は第一実施例にかかる万線を構成する各線５の形態を示す模式図、（Ｂ）はコピーにより線幅が拡大した各線５の形態を示す模式図である。
【図３】偽造防止帳票１をコピーしたコピー紙１’を示す概略平面図である。
【図４】（Ａ）は第二実施例にかかる万線を構成する各線５の形態を示す模式図、（Ｂ）はコピーにより線幅が拡大した各線５の形態を示す模式図である。
【符号の説明】
【００１８】
１  偽造防止帳票
２  帳票紙面
３  潜像
４  背景
５  線
６  拡張突部
Ｂ  線５相互の間隔
Ｄ  線５の太さ
Ｈ  拡張突部６の突出幅
Ｓ  拡張突部６相互の間隔
Ｗ  拡張突部６の横幅  
【図１】
0005179112.tif 000002
【図２】
0005179112.tif 000003
【図３】
0005179112.tif 000004
【図４】
0005179112.tif 000005